(57)【特許請求の範囲】
【請求項１】
ボトルネック部に鍔部を有する超薄肉プラスチック製ボトル型容器の輸送に際し、
前記ボトル型容器を変形させてその容積を減少させた後、軟質材料からなる断面略Ｃ字型の収納レールに前記ボトル型容器の前記鍔部を掛合させて当該容器を多数収納し、次いで円柱状の支持体に前記ボトル型容器を収納した前記収納レールを巻きつけることにより、前記ボトル型容器を輸送することを特徴とする、超薄肉プラスチック製ボトル型容器の輸送方法。
【請求項２】
前記収納レールを前記支持体に巻きつけた後、これら全体をシート材で覆うことを特徴とする、請求項１記載の超薄肉プラスチック製ボトル型容器の輸送方法。
【請求項３】
前記ボトル型容器は、単位容積当たりのプラスチック材料の使用量が0.004g/cc〜0.025g/ccであることを特徴とする、請求項１または２項記載の超薄肉プラスチック製ボトル型容器の輸送方法。
【請求項４】
前記ボトル型容器が、ポリエチレンまたはポリプロピレンからなることを特徴とする、請求項１〜３のいずれか１項記載の超薄肉プラスチック製ボトル型容器の輸送方法。
【請求項５】
ボトルネック部に鍔部を有する超薄肉プラスチック製ボトル型容器を輸送するための輸送用具であって、
基台と、この基台上に設けた円柱状の支持体と、軟質材料からなる断面略Ｃ字型の収納レールとを具え、
変形させて容積を減少させた前記ボトル型容器の前記鍔部を前記収納レールに掛合させて当該ボトル型容器を多数収納した状態で、前記円柱状の支持体に前記ボトル型容器を収納した前記収納レールを巻きつけ可能としたことを特徴とする、超薄肉プラスチック製ボトル型容器の輸送用具。
【請求項６】
前記ボトル型容器を係合させた収納レールを巻きつけた支持体を、前記収納レールと共に覆うシート材をさらに具える、請求項５記載の超薄肉プラスチック製ボトル型容器の輸送用具。
【請求項７】
前記ボトル型容器は、単位容積当たりのプラスチック材料の使用量が0.004g/cc〜0.025g/ccであることを特徴とする、請求項５または６記載の超薄肉プラスチック製ボトル型容器の輸送用具。
【請求項８】
前記ボトル型容器が、ポリエチレンテレフタレートまたはポリプロピレンからなることを特徴とする、請求項５〜７のいずれか１項記載の超薄肉プラスチック製ボトル型容器の輸送用具。
【発明の詳細な説明】
【０００１】
【発明の属する技術分野】
本発明は、飲料、洗剤、化粧品等の液状物を収納する超薄肉プラスチック製ボトル型容器を輸送するための輸送方法および輸送用具に関するものである。
【０００２】
【従来の技術】
現在、飲料、洗剤、化粧品等の液状の製品を収納する容器として、いわゆるペットボトル等のプラスチック製ボトル型容器が広く用いられている。
【０００３】
こうしたプラスチック製ボトル型容器は、内容物が充填されていない空の状態であっても、常に一定の形状、すなわち内容物が充填されている時と同じ形状を保っているため、容器自体の輸送や廃棄の際にもかさばったものになってしまうと言う問題がある。
【０００４】
そのため、容器を極く薄肉化した超薄肉プラスチック製ボトル容器が利用されつつある。この超薄肉プラスチック製ボトル型容器は、空の状態では容易につぶす、捻る等して容積を減少（減容）させることができるという特徴を有する。そのため、容器自体の輸送や廃棄の際にはかさばらないと言う利点がある。
【０００５】
【発明が解決しようとする課題】
本発明の目的は、上述したような超薄肉プラスチック製ボトル型容器の特徴を利用して、この容器を効率的に輸送するための輸送方法および輸送用具を提案するものである。
【０００６】
【課題を解決するための手段】
本発明による方法は、ボトルネック部に鍔部を有する超薄肉プラスチック製ボトル型容器の輸送に際し、前記ボトル型容器を変形させてその容積を減少させた後、軟質材料からなる断面略Ｃ字型の収納レールに前記ボトル型容器の前記鍔部を掛合させて当該ボトル型容器を多数収納し、次いで円柱状の支持体に前記ボトル型容器を収納した前記収納レールを巻きつけることにより、前記ボトル型容器を輸送することを特徴とする。
【０００７】
すなわち本発明による方法においては、超薄肉プラスチック製ボトル型容器を減容させて小さくした状態で、収納レールに多数収納し、この収納レールを円柱状の支持体に多数巻きつけて輸送する。それによって一度に大量の容器を輸送することが可能となり、ボトル型容器の製造者から使用者（飲料メーカー等）への配送や、使用後の廃棄のための輸送が効率的に行うことができるようになり、コスト低減にも寄与できる。また本方法においては、ボトル型容器を収納した収納レールを支持体に巻きつけた後、これら全体をシート材で覆っても良い。それによって、輸送時にボトル型容器を雨や埃等から保護することができる。
【０００８】
また本発明は超薄肉プラスチック製ボトル型容器を輸送するための輸送用具に関するものでもある。
【０００９】
本発明による輸送用具は、ボトルネック部に鍔部を有する超薄肉プラスチック製ボトル型容器を輸送するためのものであって、基台と、この基台上に設けた円柱状の支持体と、軟質材料からなる断面略Ｃ字型の収納レールとを具え、変形させて容積を減少させた前記ボトル型容器の前記鍔部を前記収納レールに掛合させて当該容器を多数収納した状態で、前記円柱状の支持体に前記ボトル型容器を収納した前記収納レールを巻きつけ可能としたことを特徴とする。そのため、一度に大量のボトル型容器を輸送することが可能となり、ボトル型容器の製造者から使用者（飲料メーカー等）への配送や、使用後の廃棄のための輸送が効率的に行うことができると共にコスト低減にも寄与できる。
【００１０】
本発明においては、ボトル型容器を輸送する際に、このボトル型容器を収納した収納レールと、これを巻きつけた支持体とをシート材で覆っても良い。それによって、輸送時にボトル型容器を雨や埃等から保護することが可能となる。
【００１１】
また本発明における超薄肉プラスチック製ボトル型容器としては、好ましくは単位容積当たりのプラスチック材料の使用量が0.004g/cc〜0.025g/ccであり、その材質としては、例えばポリエチレンテレフタレートまたはポリプロピレンからなることが望ましい。
【００１２】
【発明の実施の形態】
以下、図面を参照して本発明の好適な実施形態について説明する。
【００１３】
図１〜図３は、本発明による輸送用具の一実施形態を示すものである。図１に示すように、本輸送用具１は、基台２、この基台２上に設けた円柱状の支持体３および収納レール４を具え、収納レール４には、超薄肉プラスチック製ボトル型容器５を多数収納している。なお、図１では、収納レール４は支持体３に弦巻状に巻きつけられている。
【００１４】
図２に示すように、収納レール４は断面略Ｃ字型を有し、超薄肉プラスチック製ボトル型容器５のネック部に設けられている鍔部5aを、収納レールの溝4aに掛合させることにより、ボトル型容器５を収納レール４に多数収納する。なお、このとき、ボトル型容器５は、図示のようにつぶす、捻る等により減容させることが望ましい。それによって、多数のボトル型容器５を収納することができ、かつ、収納レール４を支持体３に巻きつけ易くなるからである。
【００１５】
この収納レール４の支持体３への巻きつけ方法としては、図１では１本の収納レール４を弦巻状に巻きつけているが、この他、１本の支持体３に複数の収納レール４を１本ずつ同心状（渦巻き状）に巻きつけたものを複数上下に重ねるようにしても良い。
【００１６】
図３は、本輸送用具１を複数並べた状態を示す。図においては、ボトル型容器５を多数収納した輸送用具１にシート材６を被せている。それによって、収納したボトル型容器５を輸送時に雨や埃等から保護する。本輸送用具１は、このような状態でトラック、貨車等に積載されて使用者（飲料メーカー等）へ向けて輸送される。
【００１７】
以上説明したように、本発明によれば、超薄肉プラスチック製ボトル型容器を、比較的小さい収納スペースで一度に多数輸送することが可能となり、ボトル型容器の輸送を効率的に行うことができ、コスト低減にも寄与できることとなる。
【図面の簡単な説明】
【図１】  本発明による輸送用具の実施形態の外観を示す図である。
【図２】  図１の符号ＡおよびＢで示す部分をそれぞれ拡大して示す図である。
【図３】  図１の輸送用具にシート材を被せて複数並べた状態を示す図である。
【符号の説明】
１  輸送用具
２  基台
３  支持体
４  収納レール
５  超薄肉プラスチック製ボトル型容器
６  シート材
【図１】
0003878369.tif 000002
【図２】
0003878369.tif 000003
【図３】
0003878369.tif 000004